(57)【要約】【課題】  機密用紙上で記入が行われている全ての領域の設定、及びその領域の記入が図であるか文字であるかの判別を行い、これらの設定及び判別の情報を用いて、機密用紙上の秘匿すべき部分をインクジェットプリンタにより塗り潰す。【解決手段】  受け入れ手段１の開口の近傍に用紙検出センサ１１が設けられる。そしてこのセンサ１１で機密用紙Ｐの用紙の挿入が検出されると、用紙搬送ローラ１２ａ、１２ｂ、１２ｃが駆動され、機密用紙Ｐの用紙は、先にスキャナ１３、次に塗り潰し手段となるインクジェットプリンタ１４の近傍を所定の速度で通過され、任意のガイドによって蓄積手段２に蓄積される。【選択図】        図２
2006174172.tif 000002
【特許請求の範囲】
【請求項１】
機密情報の記載された用紙の処理を行う機密用紙処理装置であって、
機密処理用紙の処理の仕方を設定する処理内容設定手段と、
前記機密処理用紙を受け入れる受け入れ手段と、
該受け入れ手段で受け入れた前記機密処理用紙をスキャンするスキャン手段と、
該スキャン手段でスキャンして取得した前記機密処理用紙の画像データに対応した前記機密処理用紙の画像領域を、前記処理内容設定手段で設定された処理の仕方に従って塗り潰す塗り潰し手段と、
該塗り潰し手段で塗り潰された前記機密処理用紙を蓄積する蓄積手段と
を有することを特徴とする機密用紙処理装置。
【請求項２】
前記処理内容設定手段は外部操作可能な入力手段を有する
ことを特徴とする請求項１記載の機密用紙処理装置。
【請求項３】
前記処理内容設定手段で設定される処理内容は前記機密処理用紙の機密処理のレベルに関する
ことを特徴とする請求項１記載の機密用紙処理装置。
【請求項４】
前記処理内容設定手段で設定される処理内容には、前記スキャン手段によりスキャンされた前記機密処理用紙の画像データの保存とＩＤに関する設定を含む
ことを特徴とする請求項１記載の機密用紙処理装置。
【請求項５】
前記受け入れ手段は、
前記機密処理用紙の挿入を検出する用紙検出手段と、
該用紙検出手段による前記機密処理用紙の挿入を検出した後に、前記機密処理用紙を、前記スキャン手段、前記塗り潰し手段及び前記蓄積手段へ搬送する用紙搬送手段と
を有することを特徴とする請求項１記載の機密用紙処理装置。
【請求項６】
前記受け入れ手段は、複数の前記機密処理用紙を挿入口から受け入れ保持する保持手段を有する
ことを特徴とする請求項１記載の機密用紙処理装置。
【請求項７】
前記保持手段は、前記複数の機密処理用紙を分離し、一枚ずつ前記用紙搬送手段へ供給する用紙供給手段を有する
ことを特徴とする請求項６記載の機密用紙処理装置。
【請求項８】
前記スキャン手段は、前記機密処理用紙の両面からスキャンする複数のスキャン手段を有する
ことを特徴とする請求項１記載の機密用紙処理装置。
【請求項９】
前記スキャン手段によるスキャンで取得された前記機密処理用紙の画像データから文字画像領域と他の画像領域とを抽出する画像処理手段を有する
ことを特徴とする請求項１記載の機密用紙処理装置。
【請求項１０】
ＩＤを検出するＩＤ検出手段と、
該ＩＤ検出手段で検出されたＩＤと前記スキャン手段でスキャンして取得した前記機密処理用紙の画像データとを関連付けて前記画像データを外部メモリに保存する為の保存処理手段と
を有することを特徴とする請求項１記載の機密用紙処理装置。
【請求項１１】
前記スキャン手段のスキャン速度を前記処理内容設定手段に設定される前記機密処理用紙の処理の仕方に対応して変更する制御手段を有する
ことを特徴とする請求項１記載の機密用紙処理装置。
【請求項１２】
前記塗り潰し手段はインクジェット手段であり、顔料インクを塗布する
ことを特徴とする請求項１記載の機密用紙処理装置。
【請求項１３】
前記塗り潰し手段は、前記機密処理用紙の両面から塗り潰す複数の塗り潰し手段を有する
ことを特徴とする請求項１記載の機密用紙処理装置。
【請求項１４】
前記塗り潰し手段は、前記処理内容設定手段で設定される前記機密処理用紙の機密処理のレベルに対応して塗り潰し方を変更する制御手段を有する
ことを特徴とする請求項３記載の機密用紙処理装置。
【請求項１５】
前記塗り潰し手段は、前記スキャン手段によるスキャンで取得された前記機密処理用紙の画像データから得られた文字画像領域と他の画像領域に対応して塗り潰し方を変更する制御手段を有する
ことを特徴とする請求項９記載の機密用紙処理装置。
【請求項１６】
前記蓄積手段は手前側が開放され、前記機密処理用紙の処理経路が前記手前側の開放された蓄積手段の背面側または側面側に設けられている
ことを特徴とする請求項１記載の機密用紙処理装置。
【発明の詳細な説明】
【技術分野】
【０００１】
本発明は、例えば機密情報の記載された用紙を廃棄する際に使用して好適な機密用紙処理装置に関する。詳しくは、用紙上の機密情報の記載された部分を抽出し、その内容及び任意の設定に応じて抽出部分の塗り潰しを行うことにより、廃棄された用紙からの機密情報の漏洩等が良好に防止されるようにするものである。
【背景技術】
【０００２】
従来の文書廃棄装置及びファイリングシステムでは、廃棄される文書をスキャンして、その画像をファイリングするようにしている（例えば、特許文献１参照。）。
【０００３】
また、秘匿すべき情報を含む領域を指定して塗り潰しを行うようにしているものもある（例えば、特許文献２参照。）。
【０００４】
すなわち、秘匿すべき情報を含む領域を塗り潰すこと、及び廃棄される文書をスキャンしてその画像をファイリングする技術は知られているものである。
【特許文献１】特開２００２−２４５０７５号公報
【特許文献２】特開２００３−２５６８４号公報
【発明の開示】
【発明が解決しようとする課題】
【０００５】
特許文献２の発明においては、予め指定された領域や指定された文言の記載された範囲を塗り潰して情報の漏洩を防止するものである。しかしながらこのような方法では、予め定められた書式や特定の文言に対して塗り潰しが行われるものであり、一般的な機密用紙の処理に有効なものではない。また、例えば用紙の全面を塗り潰す方法も考えられるが、塗り潰しに用いるインクや顔料等の消費が莫大になってしまうものである。
【０００６】
この発明はこのような点に鑑みて成されたものであって、本発明の目的は、一般的な機密用紙の処理においても有効な塗り潰しを行うことのできる機密用紙処理装置を提供するものであり、特には情報の漏洩が良好に防止されると共に、エネルギーや資源などの消費ができるだけ少なくなるようにしたものである。
【課題を解決するための手段】
【０００７】
上位の課題を解決し、本発明の目的を達成するため、請求項１に記載された発明は、機密情報の記載された用紙の処理を行う機密用紙処理装置であって、機密処理用紙の処理の仕方を設定する処理内容設定手段と、機密処理用紙を受け入れる受け入れ手段と、この受け入れ手段で受け入れた機密処理用紙をスキャンするスキャン手段と、このスキャン手段でスキャンして取得した機密処理用紙の画像データに対応した機密処理用紙の画像領域を、処理内容設定手段で設定された処理の仕方に従って塗り潰す塗り潰し手段と、この塗り潰し手段で塗り潰された前記機密処理用紙を蓄積する蓄積手段とを有することを特徴とする。
【０００８】
また、請求項２に記載の発明による機密用紙処理装置は、処理内容設定手段は外部操作可能な入力手段を有することを特徴とする。
【０００９】
請求項３に記載の発明による機密用紙処理装置は、処理内容設定手段で設定される処理内容は機密処理用紙の機密処理のレベルに関することを特徴とする。
【００１０】
請求項４に記載の発明による機密用紙処理装置は、処理内容設定手段で設定される処理内容には、スキャン手段によりスキャンされた機密処理用紙の画像データの保存とＩＤに関する設定を含むことを特徴とする。
【００１１】
請求項５に記載の発明による機密用紙処理装置は、受け入れ手段は、機密処理用紙の挿入を検出する用紙検出手段と、この用紙検出手段による機密処理用紙の挿入を検出した後に、機密処理用紙を、スキャン手段、塗り潰し手段及び蓄積手段へ搬送する用紙搬送手段とを有することを特徴とする。
【００１２】
請求項６に記載の発明による機密用紙処理装置は、受け入れ手段は、複数の機密処理用紙を挿入口から受け入れ保持する保持手段を有することを特徴とする。
【００１３】
請求項７に記載の発明による機密用紙処理装置は、保持手段は、複数の機密処理用紙を分離し、一枚ずつ用紙搬送手段へ供給する用紙供給手段を有することを特徴とする。
【００１４】
請求項８に記載の発明による機密用紙処理装置は、スキャン手段は、機密処理用紙の両面からスキャンする複数のスキャン手段を有することを特徴とする。
【００１５】
請求項９に記載の発明による機密用紙処理装置は、スキャン手段によるスキャンで取得された機密処理用紙の画像データから文字画像領域と他の画像領域とを抽出する画像処理手段を有することを特徴とする。
【００１６】
請求項１０に記載の発明による機密用紙処理装置は、ＩＤを検出するＩＤ検出手段と、このＩＤ検出手段で検出されたＩＤとスキャン手段でスキャンして取得した機密処理用紙の画像データとを関連付けて画像データを外部メモリに保存する為の保存処理手段とを有することを特徴とする。
【００１７】
請求項１１に記載の発明による機密用紙処理装置は、スキャン手段のスキャン速度を処理内容設定手段に設定される機密処理用紙の処理の仕方に対応して変更する制御手段を有することを特徴とする。
【００１８】
請求項１２に記載の発明による機密用紙処理装置は、塗り潰し手段はインクジェット手段であり、顔料インクを塗布することを特徴とする。
【００１９】
請求項１３に記載の発明による機密用紙処理装置は、塗り潰し手段は、機密処理用紙の両面から塗り潰す複数の塗り潰し手段を有することを特徴とする。
【００２０】
請求項１４に記載の発明による機密用紙処理装置は、塗り潰し手段は、処理内容設定手段で設定される機密処理用紙の機密処理のレベルに対応して塗り潰し方を変更する制御手段を有することを特徴とする。
【００２１】
請求項１５に記載の発明による機密用紙処理装置は、塗り潰し手段は、スキャン手段によるスキャンで取得された機密処理用紙の画像データから得られた文字画像領域と他の画像領域に対応して塗り潰し方を変更する制御手段を有することを特徴とする。
【００２２】
請求項１６に記載の発明による機密用紙処理装置は、蓄積手段は手前側が開放され、機密処理用紙の処理経路が手前側の開放された蓄積手段の背面側または側面側に設けられていることを特徴とする。
【発明の効果】
【００２３】
以上述べた本発明によれば、記入のある場所を全て塗り潰すことによって情報の漏洩を良好に防止することができると共に、塗り潰しを記入のある場所のみに対して行うことによって、エネルギーや資源などの消費を少なくすることができる。
【発明を実施するための最良の形態】
【００２４】
以下、図面を参照して本発明を説明するに、まず図１には、本発明による機密用紙処理装置の一実施形態の外観を示す。この図１において、装置の外観はほぼ直方体の形状をなし、その前面側に機密用紙Ｐの受け入れ手段１の開口と、処理済の機密用紙Ｐの用紙を蓄積する蓄積手段２の開口とが設けられる。また、同じく装置の前面側に上質紙棚３の開口と、下質紙棚４の開口とが設けられる。
【００２５】
さらに図２のＡ、Ｂには、本発明による機密用紙処理装置の第１及び第２の実施形態の内部構造を示す。まず図２のＡの実施形態は機密用紙Ｐを１枚ずつ挿入するシステムの構成を示し、ここでは受け入れ手段１の開口の近傍に用紙検出センサ１１が設けられる。そしてこのセンサ１１で機密用紙Ｐの用紙の挿入が検出されると、用紙搬送ローラ１２ａ、１２ｂ、１２ｃが駆動され、機密用紙Ｐの用紙は、先にスキャナ１３、次に塗り潰し手段となるインクジェットプリンタ１４の近傍を所定の速度で通過され、任意のガイドによって蓄積手段２に蓄積される。
【００２６】
また、図２のＢの実施形態は機密用紙Ｐをまとめて挿入するシステムの構成を示し、ここでは受け入れ手段１の開口の内部には機密用紙Ｐの未処理用紙の蓄積手段１５と、その近傍に用紙検出センサ１１が設けられる。そしてこのセンサ１１で機密用紙Ｐの用紙の挿入が検出されると、機密用紙Ｐの用紙は用紙供給ローラ１６によって１枚ずつ取り出され、用紙搬送ローラ１２ａ、１２ｂ、１２ｃ、１２ｄが駆動されて、先にスキャナ１３、次に塗り潰し手段となるインクジェットプリンタ１４の近傍を所定の速度で通過され、任意のガイドによって蓄積手段２に蓄積される。
【００２７】
さらに図３のＡ、Ｂには、本発明による機密用紙処理装置の第３及び第４の実施形態の外観を示す。図３のＡの実施形態は、装置の上面に処理内容設定手段としてのタッチパネル５を設けたもので、このタッチパネル５を用いて機密処理用紙の処理の仕方や、機密処理のレベル、機密処理用紙の画像データの保存とＩＤに関する設定などが行われる。さらにパスワードやＩＤの入力も、このタッチパネル５を用いて行うことができる。
【００２８】
また、図３のＢの実施形態は、装置の上面に処理内容設定手段としてのタッチパネル５と共に、指紋やＩＣカード検出等のＩＤ検出センサ６を設けたもので、タッチパネル５を用いて機密処理用紙の処理の仕方や、機密処理のレベル、機密処理用紙の画像データの保存とＩＤに関する設定などが行われると共に、この実施形態ではＩＤの入力を、ＩＤ検出センサ６を用いて行うことができる。
【００２９】
そしてこれらの実施形態において、本発明による機密用紙処理を行うための内部の機能ブロックは、例えば図４に示すように構成される。すなわち、図４の機能ブロック図においては、制御手段となるＣＰＵ（Central Processing Unit）２０が設けられ、このＣＰＵ２０に、上述の用紙検出センサ１１、用紙搬送ローラ１２ａ〜１２ｃ等からなる用紙搬送手段１２、スキャナ１３、インクジェットプリンタ１４などが接続される。また、ＣＰＵ２０には、処理内容設定手段としてのタッチパネル５や、ＩＤ検出センサ６なども接続され、さらに後述するデータ出力手段７も接続される。
【００３０】
これによりこの機能ブロックにおいて、例えば図５のＡに示すような機密用紙Ｐがスキャナ１３で読み取られると、図５のＢに示すように領域の設定が行われる。なおこの領域の設定は、ＣＰＵ２０での画像処理によって行われるものであるが、その具体的な処理については周知の技術であるので、ここでの説明を割愛する。さらに、これらの各領域について、その記述の内容が図であるか文字であるかの判別もＣＰＵ２０によって行われる。この判別は、例えば活字文字認識のソフトウェアを用いて、認識可能な記述を文字、認識不能な記述を図として判別することができる。
【００３１】
このようにして、機密用紙Ｐ上で記入が行われている全ての領域の設定、及びその領域の記入が図であるか文字であるかの判別が行われる。そこでさらに、これらの設定及び判別の情報を用いて、機密用紙Ｐ上の秘匿すべき部分をインクジェットプリンタ１４により塗り潰す処理について、以下に、図６及び図７のフローチャートを用いて説明する。なお、図６はスキャナ１３における処理、図７はインクジェットプリンタ１４における処理を示したものである。
【００３２】
まず図６には、スキャナ１３における処理のフローチャートを示す。この図６において処理がスタートされると、最初にステップＳ０１で、スキャナ１３による機密用紙Ｐの読み込みが行われる。次にステップＳ０２で、読み込まれた機密用紙Ｐの画像データの中に記入があるか否か判断され、記入がないとき（Ｎｏ）は処理が終了（ストップ）される。またステップＳ０２で読み込まれた画像データの中に記入があるとき（Ｙｅｓ）は、ステップＳ０３で記入ごとに矩形範囲ｎが設定される。なお矩形範囲ｎの設定は、例えば値ｎ＝０，１，２・・・として、順番に番号を振って行われる。
【００３３】
さらにステップＳ０４で、矩形範囲ｎの設定が機密用紙Ｐの全面に渡って終了したか否か判断され、終了されていないとき（Ｎｏ）はステップＳ０３に戻されて矩形範囲ｎの設定が続行される。そしてステップＳ０４で矩形範囲ｎの設定が機密用紙Ｐの全面に渡って終了したとき（Ｙｅｓ）は、ステップＳ０５で値ｎの最大値が保存され、ステップＳ０６で値ｎ＝０とされてステップＳ０７へ進められる。
【００３４】
ステップＳ０７では、矩形範囲ｎの記入が文字であるか否か判断される。この判断は、例えば活字文字認識のソフトウェアを用いて、認識可能な記述を文字、認識不能な記述を図として判断する。そして矩形範囲ｎの記入が文字であるとき（Ｙｅｓ）は、ステップＳ０８で矩形範囲ｎのデータに文字フラグがセットされ、矩形範囲ｎの記入が文字でないとき（Ｎｏ）は、ステップＳ０９で矩形範囲ｎのデータの文字フラグがリセットされる。さらにステップＳ１０で、値ｎが保存された最大値か否か判断され、最大値でないとき（Ｎｏ）は、ステップＳ１１で値ｎ＝ｎ＋１としてステップＳ０７に戻される。
【００３５】
またステップＳ１０で、値ｎが保存された最大値になったとき（Ｙｅｓ）は、ステップＳ１２で、全ての矩形範囲ｎのデータがインクジェットプリンタ１４に送信される。ここで送信されるデータは、例えば各矩形範囲ｎの四隅の座標と文字フラグ、そして値ｎの最大値である。そしてこの送信が終了すると、処理が終了（ストップ）される。
【００３６】
これに対して、図７には、インクジェットプリンタ１４における処理のフローチャートを示す。この図７において処理がスタートされると、最初にステップＳ２１で、スキャナ１３から送信された全ての矩形範囲ｎのデータが受信される。そしてステップＳ２２で値ｎ＝０とされてステップＳ２３へ進められる。
【００３７】
ステップＳ２３では、矩形範囲ｎの記入が文字であるか否か判断される。この判断は、矩形範囲ｎのデータに添えられた文字フラグのセットの有無で判断される。そして矩形範囲ｎの文字フラグがセットであるとき（Ｙｅｓ）は、ステップＳ２４で矩形範囲ｎに文字用の塗り潰しパターンが設定され、矩形範囲ｎの文字フラグがセットでないとき（Ｎｏ）は、ステップＳ２５で矩形範囲ｎに画像用の塗り潰しパターンが設定される。さらにステップＳ２６で、値ｎが保存された最大値か否か判断され、最大値でないとき（Ｎｏ）は、ステップＳ２７で値ｎ＝ｎ＋１としてステップＳ２３に戻される。
【００３８】
さらにステップＳ２６で、値ｎが保存された最大値になったとき（Ｙｅｓ）は、ステップＳ２８で機密用紙Ｐの全面に渡って各矩形範囲ｎのプリントパターンがセットされる。すなわち、上述の各矩形範囲ｎの四隅の座標に対して、その座標で囲まれた範囲に、それぞれ文字用または画像用の塗り潰しパターンが設定される。そしてステップＳ２９でプリントが実行されて、処理が終了（ストップ）される。
【００３９】
これによって、例えば図８のＡに示すような機密用紙Ｐが本発明の機密用紙処理装置に挿入された場合には、機密用紙Ｐ上の各記入に対して矩形範囲が設定されると共に、その範囲の記入が文字であるか図であるかが判断され、それによって、例えば図８のＣに示すような塗り潰しが行われる。
【００４０】
ここで塗り潰しのパターンは、例えば図に対しては完全に塗る潰す必要があるが、文字に対しては任意の細かい幾何学模様をプリントすることで、その判読を困難にすることができる。そこで図８のＣに示すように、機密用紙Ｐ上の図と判断された矩形範囲は完全に塗り潰すと共に、文字と判断された矩形範囲には所定の幾何学模様をプリントする。これによって、情報の漏洩を良好に防止できると共に、エネルギーや資源などの消費をできるだけ少なくすることができるものである。
【００４１】
さらに、例えば上述の処理内容設定手段としてのタッチパネル５において、機密用紙Ｐごと機密レベルが設定されている場合には、その設定に応じて塗り潰しの仕方を変更することができる。すなわち、その機密レベルが低レベルであるときには、例えば図８のＢに示すように全ての矩形範囲を文字用の塗り潰しパターンで塗り潰しを行う。これに対して機密レベルが高レベルであるときには、例えば図８のＤに示すように全ての矩形範囲を画像用の塗り潰しパターンで塗り潰しを行う。
【００４２】
このようにして、設定された機密レベルに応じて塗り潰しの仕方を変更することができる。これによれば、機密レベルが低レベルであるときには、エネルギーや資源などの消費をさらに少なくすることができる。なお、本発明の機密用紙処理装置によれば、例えば図８のＤに示すように、全ての矩形範囲を画像用の塗り潰しパターンで塗り潰しを行う場合であっても、従来のように全面を塗り潰す場合よりは、エネルギーや資源などの消費を少なくすることができるものである。
【００４３】
さらに本発明の機密用紙処理装置においては、例えば図２のＡ、Ｂに示すようにスキャナ１３、及び塗り潰し手段となるインクジェットプリンタ１４が機密用紙Ｐの両面に設けられる。これによって、機密用紙Ｐを裏返さなくても、機密用紙Ｐの両面にわたって処理を行うことができると共に、機密レベルがさらに高い場合には、設定された矩形範囲に相当する範囲を両面から塗り潰すことで、一層の情報の漏洩の防止を行うことができるものである。
【００４４】
また、上述の本発明の機密用紙処理装置においては、例えばスキャナ１３で読み込まれた画像データをメモリ等に保存することができるが、その画像データの保存に当っては、タッチパネル５からのパスワードやＩＤの入力や、ＩＤ検出センサ６による指紋やＩＣカードからのＩＤの入力に従って制限が行われる。
【００４５】
すなわち、図９のフローチャートにおいて処理がスタートされると、ステップＳ３１で、例えばタッチパネル５やＩＤ検出センサ６により入力されるＩＤが認識される。次にステップＳ３２で認識されたＩＤが、予め登録されたＩＤと一致するか否か判断され、一致するとき（Ｙｅｓ）は、ステップＳ３３でＩＤを画像データに関連付け、データ出力手段７によるデータの保存が行われて処理が終了（ストップ）される。また、ステップＳ３２でＩＤが一致しないとき（Ｎｏ）は、ステップＳ３４で画像データの保存は行わずに処理が終了（ストップ）される。
【００４６】
このようにして、ＩＤを用いて画像データの保存の制限が行われる。これによって、例えば画像データを外部メモリ等に保存して持ち出すような形式での情報の漏洩を防止することができる。
【００４７】
さらに、本発明の機密用紙処理装置においては、例えば図１０に示すように機密用紙処理装置１００に対してＵＳＢメモリ１０１や、メモリカード１０２を装着して画像データの保存が行われる。あるいは、ネットワーク２００を通じてサーバ３００や、任意のパーソナルコンピュータ（ＰＣ）４００に画像データの保存を行うこともできる。そこでこれらの場合にも、上述のＩＤを用いた処理を行うことによって、情報の漏洩を防止することができる。
【００４８】
また、このようにＵＳＢメモリ１０１やメモリカード１０２を装着して画像データの保存が行われる場合や、ネットワーク２００を通じて、サーバ３００や任意のパーソナルコンピュータ（ＰＣ）４００等に画像データの保存を行っている場合には、機密用紙処理装置１００の本体の内部には画像データが存在しないので、例えば機密用紙処理装置１００の本体の盗難に対しても、情報の漏洩を防止することができる。
【００４９】
さらに、本発明の機密用紙処理装置によれば、塗り潰し手段にはインクジェットが使用されており、インクジェットであれば非接触なので用紙に汚れが付きにくい。また顔料インクを塗布するインクジェットであれば、用紙の原画、原文字が透けて見えるのを防ぐことが出来る。さらには塗り潰し後に、用紙を乾燥させる乾燥手段があれば、用紙を扱う場合に、手が汚れないで済む。
【００５０】
また、本発明の機密用紙処理装置によれば、入力手段としてタッチパネル５が機密用紙処理装置上部に設けられている。そこでこのタッチパネル５を用いて、スキャン速度を変更するための制御手段（図示せず）を制御することができる。これにより、例えば通常は高速スキャンでも問題ないが、画像保存の時はスキャン速度を下げる必要がある時に、その制御を行うことができる。
【００５１】
ところで、処理済みの用紙を取出す場合、機密用紙処理装置にある蓄積手段２は手前側が開放された構造であることが望ましい。すなわち用紙が取り出しやすい構造が望ましい。また機密用紙だけではなく、一般廃棄用紙も蓄積する第２の蓄積手段３、４がある機密用紙処理装置があればさらに効率的である。そして、やはりこれも手前側が開放された蓄積手段であることが望ましい。
【００５２】
また、廃棄用紙が大量に発生した場合でも第２の蓄積手段３、４が複数あれば対応が可能である。また複数の該蓄積手段３、４を紙質に応じて、例えば、上質紙、低質紙に分けて蓄積する方法もある。また手前側が開放されていれば取り出しに便利である。
【００５３】
さらに、上述の図２の実施形態では、機密処理用紙の処理経路が、手前側が開放された蓄積手段の背面側にある機密用紙処理装置を示している。これにより廃棄用紙の取出しが便利になるように蓄積手段の手前側を開放することができる。これに対して、図１１に示すように、処理経路を蓄積手段の側面側にあっても廃棄用紙の取出しが便利になるように蓄積手段の手前側を開放することも可能である。
【００５４】
こうして本発明の請求項１によれば、機密情報の記載された用紙の処理を行う機密用紙処理装置であって、機密処理用紙の処理の仕方を設定する処理内容設定手段と、機密処理用紙を受け入れる受け入れ手段と、この受け入れ手段で受け入れた機密処理用紙をスキャンするスキャン手段と、このスキャン手段でスキャンして取得した機密処理用紙の画像データに対応した機密処理用紙の画像領域を、処理内容設定手段で設定された処理の仕方に従って塗り潰す塗り潰し手段と、この塗り潰し手段で塗り潰された前記機密処理用紙を蓄積する蓄積手段とを有することにより、一般的な機密用紙の処理においても有効な塗り潰しを行うことのでき、特には情報の漏洩が良好に防止されると共に、エネルギーや資源などの消費ができるだけ少なくなるようにすることができる。
【００５５】
また、請求項２によれば、処理内容設定手段は外部操作可能な入力手段を有することによって、利用者が所望の設定を行うことができ、パスワードやＩＤの入力を行うこともできる。
【００５６】
請求項３によれば、処理内容設定手段で設定される処理内容は機密処理用紙の機密処理のレベルに関することによって、機密処理のレベルに応じた機密用紙の処理を行うことができる。
【００５７】
請求項４によれば、処理内容設定手段で設定される処理内容には、スキャン手段によりスキャンされた機密処理用紙の画像データの保存とＩＤに関する設定を含むことによって、安全なデータの保存を行うことができる。
【００５８】
請求項５によれば、受け入れ手段は、機密処理用紙の挿入を検出する用紙検出手段と、この用紙検出手段による機密処理用紙の挿入を検出した後に、機密処理用紙を、スキャン手段、塗り潰し手段及び蓄積手段へ搬送する用紙搬送手段とを有することによって、良好な機密用紙の処理を行うことができる。
【００５９】
請求項６によれば、受け入れ手段は、複数の機密処理用紙を挿入口から受け入れ保持する保持手段を有することによって、複数の機密処理用紙をまとめて挿入して処理を行うことができる。
【００６０】
請求項７によれば、保持手段は、複数の機密処理用紙を分離し、一枚ずつ用紙搬送手段へ供給する用紙供給手段を有することによって、複数の機密処理用紙をまとめて挿入して処理を行うことができる。
【００６１】
請求項８によれば、スキャン手段は、機密処理用紙の両面からスキャンする複数のスキャン手段を有することによって、両面に記入の行われた機密用紙の処理も良好に行うことができる。
【００６２】
請求項９によれば、スキャン手段によるスキャンで取得された機密処理用紙の画像データから文字画像領域と他の画像領域とを抽出する画像処理手段を有することによって、文字と画像のそれぞれに適した処理を行うことができる。
【００６３】
請求項１０によれば、ＩＤを検出するＩＤ検出手段と、このＩＤ検出手段で検出されたＩＤとスキャン手段でスキャンして取得した機密処理用紙の画像データとを関連付けて画像データを外部メモリに保存する為の保存処理手段とを有することによって、画像データの保存も良好に行うことができる。
【００６４】
請求項１１によれば、スキャン手段のスキャン速度を処理内容設定手段に設定される機密処理用紙の処理の仕方に対応して変更する制御手段を有することによって、画像データの読み込みを適切に行うことができる。
【００６５】
請求項１２によれば、塗り潰し手段はインクジェット手段であり、顔料インクを塗布することによって、良好な塗り潰しの処理を行うことができる。
【００６６】
請求項１３によれば、塗り潰し手段は、機密処理用紙の両面から塗り潰す複数の塗り潰し手段を有することによって、機密用紙を裏返さなくても、機密用紙の両面にわたって処理を行うことができると共に、機密レベルがさらに高い場合には、設定された矩形範囲に相当する範囲を両面から塗り潰すことで、一層の情報の漏洩の防止を行うことができる。
【００６７】
請求項１４によれば、塗り潰し手段は、処理内容設定手段で設定される機密処理用紙の機密処理のレベルに対応して塗り潰し方を変更する制御手段を有することによって、機密処理のレベルに応じた適切な処理を行うことができる。
【００６８】
請求項１５によれば、塗り潰し手段は、スキャン手段によるスキャンで取得された機密処理用紙の画像データから得られた文字画像領域と他の画像領域に対応して塗り潰し方を変更する制御手段を有することによって、文字と画像の記入のそれぞれについて適切な処理を行うことができる。
【００６９】
請求項１６によれば、蓄積手段は手前側が開放され、機密処理用紙の処理経路が手前側の開放された蓄積手段の背面側または側面側に設けられていることによって、扱い易い機密用紙処理装置を提供することができる。
【００７０】
なお本発明は、上述の説明した実施形態に限定されるものではなく、本発明の精神を逸脱することなく種々の変形が可能とされるものである。
【図面の簡単な説明】
【００７１】
【図１】本発明による機密用紙処理装置の一実施形態の外観を示す図である。
【図２】本発明による機密用紙処理装置の第１及び第２の実施形態の内部構造を示す図である。
【図３】本発明による機密用紙処理装置の第３及び第４の実施形態の外観を示す図である。
【図４】本発明による機密用紙処理を行うための内部の機能ブロックを示す機能ブロック図である。
【図５】その説明のため図である。
【図６】その動作の説明のためのフローチャート図である。
【図７】その動作の説明のためのフローチャート図である。
【図８】その説明のため図である。
【図９】その動作の説明のためのフローチャート図である。
【図１０】その説明のためのシステム図である。
【図１１】本発明による機密用紙処理装置の他の実施形態の内部構造を示す図である。
【符号の説明】
【００７２】
１…受け入れ手段、２…蓄積手段、１１…用紙検出センサ、１２ａ，１２ｂ，１２ｃ…用紙搬送ローラ、１３…スキャナ、１４…塗り潰し手段となるインクジェットプリンタ、Ｐ…機密用紙
【図１】
2006174172.tif 000003
【図２】
2006174172.tif 000004
【図３】
2006174172.tif 000005
【図４】
2006174172.tif 000006
【図５】
2006174172.tif 000007
【図６】
2006174172.tif 000008
【図７】
2006174172.tif 000009
【図８】
2006174172.tif 000010
【図９】
2006174172.tif 000011
【図１０】
2006174172.tif 000012
【図１１】
2006174172.tif 000013